【手続補正書】
【提出日】平成20年1月24日(2008.1.24)
【手続補正１】
【補正対象書類名】特許請求の範囲
【補正対象項目名】全文
【補正方法】変更
【補正の内容】
【特許請求の範囲】
【請求項１】
陳列されている各種商品にそれぞれ対応して設けられその対応する商品に関する情報を表示する表示部及びこの表示部に表示させる情報を受信する通信部を備えた複数の情報端末装置と、前記各情報端末装置の表示部に表示させる情報を該当する情報端末装置へ送信する機能を有したサーバ装置と、商取引の決済処理を行なう決済装置とを、通信ネットワークで接続してなる商品登録処理システムにおいて、
前記各情報端末装置は、対応する商品に手を伸ばしたユーザから当該ユーザを識別するユーザ識別情報を非接触により取得するユーザ識別認識手段と、このユーザ識別認識手段によりユーザ識別情報を取得したことを条件に、対応する商品の登録入力を受付ける入力受付手段と、対応する商品の登録入力を受付けると、取得したユーザ識別情報と当該情報端末装置に対応する商品を識別する商品識別情報とを含む登録商品情報を前記通信部から前記通信ネットワークを介して前記サーバ装置に送信する登録商品情報送信手段とをそれぞれ具備し、
前記サーバ装置は、前記各情報端末装置から前記通信ネットワークを介して送信されてくる前記登録商品情報を受信する情報受信手段と、前記ユーザ識別情報別の取引情報記憶領域を備えてなる取引情報記憶手段と、前記情報受信手段により前記登録商品情報を受信する毎に、当該登録商品情報に含まれる商品識別情報を前記取引情報記憶手段における当該登録商品情報に含まれるユーザ識別情報の取引情報記憶領域に追加する登録商品情報処理手段と、前記取引情報記憶手段にてユーザ識別情報別に記憶されている商品識別情報を一括して前記決済装置に転送する商取引情報転送手段とを具備し、
前記決済装置は、前記ユーザ識別情報の入力手段と、前記サーバ装置から転送されてきた商品識別情報により前記入力手段を介して入力されたユーザ識別情報で識別されるユーザとの商取引の決済処理を行なう決済処理手段とを具備したことを特徴とする商品登録処理システム。
【請求項２】
陳列されている各種商品にそれぞれ対応して設けられその対応する商品に関する情報を表示する表示部及びこの表示部に表示させる情報を受信する通信部を備えた複数の情報端末装置と、前記各情報端末装置の表示部に表示させる情報を該当する情報端末装置へ送信する機能を有したサーバ装置と、商取引の決済処理を行なう決済装置とを、通信ネットワークで接続してなる商品登録処理システムにおいて、
前記各情報端末装置は、対応する商品に手を伸ばしたユーザから当該ユーザを識別するユーザ識別情報を非接触により取得するユーザ識別認識手段と、このユーザ識別認識手段によりユーザ識別情報を取得したことを条件に、対応する商品の登録または登録取消の入力を受付ける入力受付手段と、対応する商品の登録入力を受付けると、取得したユーザ識別情報と当該情報端末装置に対応する商品を識別する商品識別情報とを含む登録商品情報を前記通信部から前記通信ネットワークを介して前記サーバ装置に送信する登録商品情報送信手段と、対応する商品の登録取消入力を受付けると、取得したユーザ識別情報と当該情報端末装置に対応する商品を識別する商品識別情報とを含む取消商品情報を前記通信部から前記通信ネットワークを介して前記サーバ装置に送信する取消商品情報送信手段とをそれぞれ具備し、
前記サーバ装置は、前記各情報端末装置から前記通信ネットワークを介して送信されてくる前記登録商品情報及び取消商品情報を受信する情報受信手段と、前記ユーザ識別情報別の取引情報記憶領域を備えてなる取引情報記憶手段と、前記情報受信手段により前記登録商品情報を受信する毎に、当該登録商品情報に含まれる商品識別情報を前記取引情報記憶手段における当該登録商品情報に含まれるユーザ識別情報の取引情報記憶領域に追加する登録商品情報処理手段と、前記情報受信手段により前記取消商品情報を受信する毎に、当該取消商品情報に含まれる商品識別情報を前記取引情報記憶手段における当該登録商品情報に含まれるユーザ識別情報の記憶領域から削除する取消商品情報処理手段と、前記取引情報記憶手段にてユーザ識別情報別に記憶されている商品識別情報を一括して前記決済装置に転送する商取引情報転送手段とを具備し、
前記決済装置は、前記ユーザ識別情報の入力手段と、前記サーバ装置から転送されてきた商品識別情報により前記入力手段を介して入力されたユーザ識別情報で識別されるユーザとの商取引の決済処理を行なう決済処理手段とを具備したことを特徴とする商品登録処理システム。
【請求項３】
前記サーバ装置と通信ネットワークで接続され、予め登録された各ユーザの生体情報を記憶する生体情報記憶手段、ユーザの生体情報を取込む生体情報取込手段、この生体情報取込手段により取込んだ生体情報と前記生体情報記憶手段により記憶されている各ユーザの生体情報とを照合して本人認証を行なう本人認証手段、及びこの本人認証手段により前記ユーザの本人認証が成立したことを条件に当該ユーザに対してユーザ識別情報を発行するユーザ識別発行手段を具備したユーザ識別発行装置をさらに備えたことを特徴とする請求項１または２記載の商品登録処理システム。
【請求項４】
前記ユーザ識別発行手段は、本人認証が成立したユーザが携帯する非接触通信記憶媒体にそのユーザに対して発行されるユーザ識別情報を非接触通信により書き込む手段であることを特徴とする請求項３記載の商品登録処理システム。
【請求項５】
前記サーバ装置と通信ネットワークで接続され、非接触通信記憶媒体に書き込まれているユーザ識別情報を読取るユーザ識別取得手段、このユーザ識別取得手段により取得したユーザ識別情報を前記サーバ装置に送信するユーザ識別送信手段、及び報知手段を具備したユーザ識別装置をさらに備え、
前記決済装置は、前記決済処理手段による決済処理を完了したユーザ識別情報を前記サーバ装置に通知する完了ユーザ識別通知手段をさらに具備し、
前記サーバ装置は、前記決済装置から決済完了の通知を受けたユーザ識別情報に関する情報を記憶管理する完了ユーザ識別管理手段と、前記ユーザ識別装置から前記通信ネットワークを介して送信されてくるユーザ識別情報を受信するユーザ識別受信手段と、このユーザ識別受信手段によりユーザ識別情報を受信する毎に前記完了ユーザ識別管理手段によって当該ユーザ識別情報に関する情報が記憶管理されているか否かを判断する完了有無判断手段と、この完了有無判断手段により当該ユーザ識別情報に関する情報が記憶管理されていないと判断されると、当該ユーザ識別情報送信元の前記ユーザ識別装置における報知手段を報知動作させる報知制御手段とをさらに具備したことを特徴とする請求項４記載の商品登録処理システム。
【請求項６】
前記サーバ装置は、取引情報記憶手段によりユーザ識別情報別に記憶される商品識別情報を元に前記ユーザ識別情報別の商取引合計金額を算出する合計算出手段と、この合計算出手段により算出される商取引合計金額のデータを前記情報受信手段により受信した前記登録商品情報または取消商品情報送信元の前記情報端末装置に転送する合計金額転送手段とをさらに具備し、
前記各情報端末装置は、前記サーバ装置から転送されてきた商取引合計金額データに基づいて前記表示部に商取引合計金額を表示させる合計表示制御手段をさらに具備したことを特徴とする請求項１または２記載の商品登録処理システム。
【請求項７】
前記各情報端末装置は、第１の操作部と、第２の操作部をさらに備え、
前記入力受付手段は、前記ユーザ識別認識手段によりユーザ識別情報を取得したことを条件に前記第１及び第２の操作部の操作入力を可能とし、前記第１の操作部の操作を検知すると対応する商品の登録入力があったものとして処理し、前記第２の操作部が操作されたことを検知すると対応する商品の登録取消入力があったものとして処理することを特徴とする請求項２記載の商品登録処理システム。
【請求項８】
前記各情報端末装置は、商品陳列棚に設けられ、その棚に陳列されている商品の価格を表示する電子棚札装置であることを特徴とする請求項１，２，６または７のいずれかに記載の商品登録処理システム。
【手続補正２】
【補正対象書類名】明細書
【補正対象項目名】００１０
【補正方法】変更
【補正の内容】
【００１０】
本発明は、陳列されている各種商品にそれぞれ対応して設けられその対応する商品に関する情報を表示する表示部及びこの表示部に表示させる情報を受信する通信部を備えた複数の情報端末装置と、各情報端末装置の表示部に表示させる情報を該当する情報端末装置へ送信する機能を有したサーバ装置と、商取引の決済処理を行なう決済装置とを、通信ネットワークで接続してなる商品登録処理システムである。  
このものにおいて、各情報端末装置は、対応する商品に手を伸ばしたユーザから当該ユーザを識別するユーザ識別情報を非接触により取得するユーザ識別認識手段と、このユーザ識別認識手段によりユーザ識別情報を取得したことを条件に、対応する商品の登録入力を受付ける入力受付手段と、対応する商品の登録入力を受付けると、取得したユーザ識別情報と当該情報端末装置に対応する商品を識別する商品識別情報とを含む登録商品情報を通信部から通信ネットワークを介してサーバ装置に送信する登録商品情報送信手段とをそれぞれ備える。  
サーバ装置は、各情報端末装置から通信ネットワークを介して送信されてくる登録商品情報を受信する情報受信手段と、ユーザ識別情報別の取引情報記憶領域を備えてなる取引情報記憶手段と、情報受信手段により登録商品情報を受信する毎に、当該登録商品情報に含まれる商品識別情報を取引情報記憶手段における当該登録商品情報に含まれるユーザ識別情報の取引情報記憶領域に追加する登録商品情報処理手段と、取引情報記憶手段にてユーザ識別情報別に記憶されている商品識別情報を一括して決済装置に転送する商取引情報転送手段とを備える。
【手続補正３】
【補正対象書類名】明細書
【補正対象項目名】００１１
【補正方法】変更
【補正の内容】
【００１１】
決済装置は、ユーザ識別情報の入力手段と、サーバ装置から転送されてきた商品識別情報により入力手段を介して入力されたユーザ識別情報で識別されるユーザとの商取引の決済処理を行なう決済処理手段とを備える。